(57)【要約】【課題】複数の加熱コイルにより調理物を加熱する誘導加熱調理器において、複数個の導光体で加熱領域を知らせる際の視認性を向上すること。【解決手段】複数配列した加熱コイル１３と、その周囲にそれぞれ複数の導光体１５を設け、導光体は加熱コイルの加熱に際し発光して使用者に加熱領域を知らせるものとし、導光体を保持する導光体保持部１６を複数設け、複数の導光体保持部は、複数の導光体保持部を保持する支持板１７を介して連結している、もしくはそれぞれが互いに連結している。これにより、より精度よく導光体を配置することが可能となり、視認性を向上することができる。【選択図】図１
2014116088.tif 000002
【特許請求の範囲】
【請求項１】
複数配列した加熱コイルと、前記加熱コイルの上方に配置された透光性のトッププレートと、発光体と、前記発光体の光を導光させることで上面を発光する導光体と、前記導光体を保持する導光体保持部とを備え、前記導光体は、前記複数の加熱コイルの周囲にそれぞれ複数設けられ、かつ前記加熱コイルの加熱に際し発光して使用者に加熱領域を知らせるものとし、前記導光体保持部は複数設けられ、かつ前記導光体保持部を保持する支持板を介して連結している、もしくはそれぞれが互いに連結している誘導加熱調理器。
【請求項２】
前記導光体保持部は、少なくとも３つ以上の複数の隣接する前記加熱コイルに囲まれ形成された空間に設けられた請求項１に記載の誘導加熱調理器。
【請求項３】
前記導光体保持部は、前記発光体を保持する請求項１または２に記載の誘導加熱調理器。
【請求項４】
前記導光体保持部は、前記発光体の少なくとも上方を遮光する請求項１から３のいずれか１項に記載の誘導加熱調理器。
【請求項５】
前記発光体は、輝度を調整することができる請求項１から４のいずれか１項に記載の誘導加熱調理器。
【請求項６】
複数の前記導光体保持部は、同一方向に設けられた切り欠き部を有し、前記発光体への配線が、前記切り欠き部に沿って配置される請求項１から５のいずれか１項に記載の誘導加熱調理器。
【請求項７】
前記加熱コイルを冷却する冷却ファンをさらに有し、前記冷却ファンの吹き出し方向と、配線方向を略一致させた請求項１から６のいずれか１項に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は図１０に示すようなものがある（例えば、特許文献１参照）。
【０００３】
図１０は、特許文献１に記載された従来の誘導加熱調理器を示す。図１０に示すように、多数の正六角形で、かつ誘導コイルを内蔵した加熱コイル９１が、ガラス製の歩武プレート９２の下にハニカム面と同じように密接に配置されている。加熱ユニットの外縁部に沿って各々照明セグメント９３が設けられている。
【先行技術文献】
【特許文献】
【０００４】
【特許文献１】特許第４７６８７５１号公報
【発明の概要】
【発明が解決しようとする課題】
【０００５】
しかしながら、上記先行文献には、導光させる各々の照明セグメントの設備構成の具体的開示がない。また、このような構成の例として、加熱コイルを保持するコイルベースに導光体である照明セグメントを設置し、加熱コイルユニットとして複数個配置する構成が考えられる。すなわち、一つの加熱部に対して一つの加熱コイルを有する誘導加熱調理器における加熱コイルユニットを、単純に複数並べて配置するという方法である。しかしながら、この構成では、特に複数個の導光体で加熱領域を知らせる際に、各コイルユニット毎のばらつきにより、各々の導光体同士がゆがんでしまい視認性にかけるという課題を有している。
【０００６】
本発明は、前記従来の課題を解決するもので、複数個の導光体で加熱領域を知らせる際に、各々の導光体同士のゆがみを抑制して、視認性を高めた誘導加熱調理器を提供することを目的とする。
【課題を解決するための手段】
【０００７】
従来の課題を解決するために、複数配列した加熱コイルと、加熱コイルの上方に配置された透光性のトッププレートと、発光体と、発光体の光を導光させることで上面を発光する導光体と、導光体を保持する導光体保持部とを備え導光体は、複数の加熱コイルの周囲にそれぞれ複数設けられ、かつ加熱コイルの加熱に際し発光して使用者に加熱領域を知らせるものとし、導光体保持部は複数設けられ、かつ導光体保持部を保持する支持板を介して連結している、もしくはそれぞれが互いに連結したものである。
【０００８】
これにより、導光体を保持する導光体保持部が、支持板を介して連結している、もしくはそれぞれが互いに連結しているため、導光体保持部が一体となっており、位置決めをすることができる。
【発明の効果】
【０００９】
本発明の誘導加熱調理器は、複数個の導光体で加熱領域を知らせる際に、各々の導光体同士のゆがみを抑制して、よりきれいに見せることができるため、視認性を向上することができる。
【図面の簡単な説明】
【００１０】
【図１】本発明の実施の形態１における誘導加熱調理器の斜視図
【図２】本発明の実施の形態１における導光体保持部の斜視図
【図３】本発明の実施の形態１における誘導加熱調理器の平面図
【図４】本発明の実施の形態２における誘導加熱調理器の平面図
【図５】本発明の実施の形態３における誘導加熱調理器の導光体保持部の斜視図
【図６】本発明の実施の形態４における誘導加熱調理器の導光体保持部の斜視図
【図７】本発明の実施の形態６における誘導加熱調理器の斜視図
【図８】本発明の実施の形態６における誘導加熱調理器の導光体保持部の斜視図
【図９】本発明の実施の形態６における誘導加熱調理器の平面図
【図１０】特許文献１に記載された従来の誘導加熱調理器の平面図
【発明を実施するための形態】
【００１１】
第１の発明は、複数配列した加熱コイルと、加熱コイルの上方に配置された透光性のトッププレートと、発光体と、発光体の光を導光させることで上面を発光する導光体と、導光体を保持する導光体保持部とを備え導光体は、複数の加熱コイルの周囲にそれぞれ複数設けられ、かつ加熱コイルの加熱に際し発光して使用者に加熱領域を知らせるものとし、導光体保持部は複数設けられ、かつ導光体保持部を保持する支持板を介して連結している、もしくはそれぞれが互いに連結したものである。
【００１２】
これにより、導光体を保持する導光体保持部が、支持板を介して連結している、もしくはそれぞれが互いに連結しているため、導光体保持部が一体となっており、位置決めができているため、複数の導光体が配置されたときに、各々の導光体同士のゆがみを抑制することができるため、複数個の導光体で加熱領域を知らせる際に、よりきれいに見せることができるため、視認性を向上することができる。
【００１３】
第２の発明は、特に、第１の発明の導光体保持部は、少なくとも３つ以上の複数の隣接する加熱コイルに囲まれ形成された空間に設けたものである。
【００１４】
これにより、導光体をより精度をあげて加熱コイルの周囲に配置することができるため、複数個の導光体で加熱領域を知らせる際に、よりきれいに見せることができるため、視認性を向上することができる。
【００１５】
第３の発明は、特に、第１または第２の発明の導光体保持部は、発光体を保持するとしたものである。
【００１６】
これにより、導光体と発光体とを導光体保持部のみで保持するため、部品数を少なくすることができ、組み立て性の向上により品質を向上させることができるとともに、コストを削減できる。
【００１７】
第４の発明は、特に、第１から３のいずれか１つの発明の導光体保持部は、発光体の少なくとも上方を遮光するとしたものである。
【００１８】
これにより、発光体の上方を遮光することにより、光が見えるのは導光体により導光された光のみとなり、発光体から直接出ている光は遮光するため、一部分だけ強い光となり視認性が悪化することを抑制することができ、視認性の向上を図ることができる。
【００１９】
第５の発明は、特に、第１から４のいずれか１つの発明の発光体は、輝度を調整することができるものである。
【００２０】
これにより、火力が強いときには発光体の輝度を明るくし、火力が弱いときには発光体の輝度を暗くすることで、視覚的に火力の強弱を確認することができる。
【００２１】
第６の発明は、特に、第１から５のいずれか１つの発明において、複数の導光体保持部は、同一方向に設けられた切り欠き部を有し、発光体への配線が、切り欠き部に沿って配置するとしたものである。
【００２２】
これにより、複数の発光体を発光させるための多数の配線を整理することができ、組み立て性の向上により品質を向上させることができる。さらに、配線を整理することにより、配線が導光体の上などに載ってしまい、配線が邪魔になって視認性が悪くなることを抑制することができる。
【００２３】
第７の発明は、特に、第１から６のいずれか１つの発明において、加熱コイルを冷却する冷却ファンをさらに有し、冷却ファンの吹き出し方向と、配線方向を略一致させたものである。
【００２４】
これにより、複数の発光体を発光させるための多数の配線が、加熱コイルを冷却する冷却風を遮ることを抑制することができるため、冷却性能を確保することができ、品質を向上させることができる。
【００２５】
以下、本発明の実施の形態について図面を参照しながら説明する。なお、この実施の形態によって本発明が限定されるものではない。
【００２６】
（実施の形態１）
図１は、本発明の第１の実施の形態における誘導加熱調理器の斜視図、図２は本発明の第１の実施の形態における導光体保持部の斜視図、図３は本発明の第１の実施の形態における誘導加熱調理器の平面図を示す。
【００２７】
図１において、本実施の形態の誘導加熱調理器は、鍋などの調理容器を載せる透光性のトッププレート１２と、トッププレート１２の下に複数の加熱コイル１３を配置しており、図のように所定の直径の加熱コイル１３を所定の間隔で均等に配置している。なお、図の配置方法は一例であり、配置は格子状でも例えば千鳥格子状でもよく、本発明を限定するものではない。
【００２８】
加熱コイル１３は、図のような支持板１７に保持されており、例えば、ばねで加熱コイル１３を上方のトッププレート１２に押し付ける構成としてもよい。また、加熱コイル１３がコイルベースに保持され、コイルベースがばねなどで支持板１７に保持されていてもよい。支持板１７には、複数の導光体保持部１６が設けられている。
【００２９】
なお、支持板１７は非磁性導電体の例えばアルミ製とした場合には、加熱コイル１３からの磁束を遮蔽することができる。
【００３０】
図２のように、導光体保持部１６は、ＬＥＤなどの発光体１４を保持している。また、導光体保持部１６は、ＬＥＤを有した基板を保持する構成としてもよい。
【００３１】
図１のように、導光体１５の両端を導光体保持部１６で保持する構成としており、導光体１５は、例えば図のように１つの加熱コイル１３の周囲の４辺に４つ設けられ、複数の加熱コイル１３の周囲にそれぞれ複数設け、加熱コイル１３の加熱に際し発光して使用者に加熱領域を知らせるものである。
【００３２】
本実施の形態では、導光体１５の両端から発光体１４により発せられた光が入光し、導光体１５で反射や散乱し、上面が光る構成となっており、透光性のトッププレート１２を通して、使用者は光を確認し、加熱領域がわかる。
【００３３】
トッププレート１２は、ガラス、特に結晶化ガラスであれば、調理時の熱による膨張、収縮に強いためこうした材質が用いられる。
【００３４】
図３のように、４つの加熱コイル１３を加熱しているときは、その外周が光り、加熱領域を使用者に知らせる構成となっている。各、加熱コイル１３は、加熱コイル１３に電源を供給する１つまたは複数の制御基板と接続しており（図示せず）、電子信号により、加熱の有無を伝達することで、加熱領域を判別し、その周囲を光らせる構成となっている。
【００３５】
図１のように、複数の導光体保持部１６を１つの支持板１７に取り付ける構成、すなわち、導光体１５を保持する導光体保持部１６が、支持板１７を介して連結する構成とすることで、複数の導光体保持部１６が一体となり、１つのユニットに、複数の導光体１５を設置する構成となるため、導光体１５の設置精度が向上する。
【００３６】
例えば、図３のような構成であると、４つの加熱コイル１３を加熱しており、加熱領域を使用者に知らせるために、加熱コイル１３の周辺を光らせるため、１辺あたり２個の導光体１５を光らせることになるが、このとき２個の導光体１５を直線状に配置するときに、配置の精度が悪い、もしくはばらついていると２個の導光体１５がゆがんで並ぶため、光がきれいな直線状にならず、視認性が悪くなってしまう。
【００３７】
このような、加熱コイル１３の周辺に導光体１５を設けた構成の例として、加熱コイル１３を保持するコイルベースに、発光体１４と導光体１５を取り付ける構成が挙げられるが、この構成だと複数の導光体１５を、複数のコイルベースで保持する構成となり、上記構成とことなり導光体１５を保持するものが一体ではないため、導光体１５同士がばらついてしまい、例えば複数の導光体１５で直線を表す際に、２つの導光体１５がゆがみ直線状の光がゆがむため、視認性が悪くなってしまう。
【００３８】
特に、従来の構成ではコイルベースをばねで保持し、加熱コイル１３をトッププレート１２に押し当てている構成が多く、ばねによる保持のためコイルベースの位置が多少ばらつくため、コイルベースに導光体１５を取り付ける構成では、複数の加熱コイル１３を配置した際に、複数の導光体１５同士がばらついてしまう。
【００３９】
なお、図１では、導光体１５を保持する導光体保持部１６が、支持板１７を介して連結する構成を示しているが、導光体保持部１６が互いに連結し、一体となった導光体保持部１６としても良い。
【００４０】
このように、本実施の形態のように、導光体１５を保持する導光体保持部１６が、支持板１７を介して連結している構成、もしくはそれぞれの導光体保持部１６が互いに連結している一体でできた導光体保持部１６とする構成にすることにより、複数の導光体１５を設置する導光体保持部１６が一体となっている構造とすることにより、位置決めができているため、複数の導光体１５が配置されたときに、各々の導光体１５同士のゆがみを抑制することができるため、複数個の導光体１５で加熱領域を知らせる際に、よりきれいに見せることができるため、視認性を向上することができる。
【００４１】
（実施の形態２）
図４は本発明の第２の実施の形態における誘導加熱調理器の平面図を示す。（ａ）は加
熱コイルが格子状に配置されている場合の導光体の配置を示す図（ｂ）は加熱コイルが千鳥格子状に配置されている場合の導光体の配置を示す図である。なお、本実施の形態の基本構成は実施の形態１と同じなので、異なる点を中心に説明する。また、実施の形態１と同じ要素には同じ符号を付し、その説明は省略する。
【００４２】
図４において、（ａ）のように、加熱コイル１３が格子状に配置されている際に、４つの隣接する加熱コイル１３に囲まれ形成される空間に、導光体保持部１６が設けられている。
【００４３】
これにより、導光体保持部１６を設置するためのスペースを新たに設けることなく、加熱コイル１３を配置する際に生じる空間を有効に活用することができるため、誘導加熱調理器を小型化・軽量化することができる。
【００４４】
また、加熱コイル１３の周辺に導光体１５を配置する際に、導光体１５の中央ではなく両端を保持する構成となり、導光体１５をより精度をあげて加熱コイル１３の周囲に配置することができるため、複数個の導光体１５で加熱領域を知らせる際に、よりきれいに見せることができるため、視認性を向上することができる。
【００４５】
また、図４において、（ｂ）のように加熱コイル１３が千鳥格子状に配置されている際において、３つの隣接する加熱コイル１３に囲まれ形成される空間に、導光体保持部１６が設けられている。
【００４６】
これにより、加熱コイル１３が千鳥格子状に配置されている場合でも、上記の格子状に配置されている場合と同様の効果を得ることができる。
【００４７】
（実施の形態３）
図５は、本発明の第３の実施の形態における誘導加熱調理器の導光体保持部の斜視図を示す。なお、本実施の形態の基本構成は実施の形態１と同じなので、異なる点を中心に説明する。また、実施の形態１と同じ要素には同じ符号を付し、その説明は省略する。
【００４８】
図５のように、導光体保持部１６は例えばＬＥＤのような発光体１４を保持する構成となっている。発光体１４は図のように主に基板に設置されている。
【００４９】
導光体保持部１６に保持された発光体１４から放たれた光は、直接、導光体保持部１６に保持された導光体１５に入光し、導光体１５の中で反射、散乱し、導光体１５の上面が光る構成となっている。
【００５０】
これにより、導光体１５と発光体１４とを導光体保持部１６のみで保持するため、部品数を少なくすることができ、コストを削減できるとともに、組み立て性の向上により品質を向上させることができる。
【００５１】
（実施の形態４）
図６は、本発明の第４の実施の形態における誘導加熱調理器の導光体保持部の斜視図を示す。なお、本実施の形態の基本構成は実施の形態１と同じなので、異なる点を中心に説明する。また、実施の形態１と同じ要素には同じ符号を付し、その説明は省略する。
【００５２】
図６のように、導光体保持部１６は、発光体１４の上方を遮光する構成となっている。なお遮光する構成は、導光体保持部１６で構成しても、図のように導光体保持部１６とは別部品である遮光カバー３１を用いて、上から遮光カバー３１によりカバーする構成でもよい。
【００５３】
使用者が上面から光を見る際に、発光体１４からの光は、導光体１５を通じて見える光より強いため、発光体１４の部分のみ目玉のように強い光が見え、視認性が悪くなる。そのため、発光体１４の上面のみを遮光し、使用者が導光体１５の上面のみからの光を確認するようにすることで、視認性を向上することができる。
【００５４】
これにより、発光体１４の上方を遮光することにより、光が見えるのは導光体１５により導光された光のみとなり、発光体１４から直接出ている光は遮光するため、一部分だけ強い光となり視認性が悪化することを抑制することができ、視認性の向上を図ることができる。
【００５５】
（実施の形態５）
以下、本発明の第５の実施の形態における誘導加熱調理器について説明する。なお、本実施の形態の基本構成は実施の形態１と同じなので、異なる点を中心に説明する。また、実施の形態１と同じ要素には同じ符号を付し、その説明は省略する。なお、本実施の形態において特に図示はしない。
【００５６】
図１、図２、図５において、発光体１４は輝度を調節できる構成とする。例えば、ＬＥＤなどの発光体１４に流す電流の量により発光の輝度を調節する。加熱コイル１３に温度検知素子、例えば赤外線センサーもしくは、抵抗値により温度を検知するサーミスターなどを設け、温度に応じて、発光体１４の輝度を調整する。温度が高いと明るくし、温度が低いと暗くすることで、視覚的に使用者に温度を知らせることができる。
【００５７】
このように、火力が強いときには発光体１４の輝度を明るくし、火力が弱いときには発光体１４の輝度を暗くすることで、視覚的に火力の強弱を確認することができる。
【００５８】
（実施の形態６）
図７は、本発明の第６の実施の形態における誘導加熱調理器の斜視図、図８は本発明の第６の実施の形態における誘導加熱調理器の導光体保持部の斜視図、図９は本発明の第６の実施の形態における誘導加熱調理器の平面図を示す。なお、本実施の形態の基本構成は実施の形態１と同じなので、異なる点を中心に説明する。また、実施の形態１と同じ要素には同じ符号を付し、その説明は省略する。
【００５９】
図７、図８のように、複数の導光体保持部１６は、同一方向に切り欠き部４１が設けられている構成となっている。発光体１４を光らせるために電流を流すとともに信号を送受信する配線４２を設け、切り欠き部４１に沿って配置する構成となっている。
【００６０】
加熱コイル１３の数が多くなるにつれ、その周辺の導光体１５の数も増える。加熱領域を使用者に知らせるために、加熱コイル１３の周囲を光らせる構成としたとき、導光体１５を光らせる発光体１４もそれぞれ独立に光らせる必要があり、そのため配線４２は多くなる。
【００６１】
このとき、配線４２が多くなるとその分、配線４２の配置場所が重要となり、配線４２のために新たにスペースを設けると製品本体が大きくなってしまうこともある。しかし、配線４２の配置場所がないと、配線４２がバラけてしまい、組み立て時に邪魔になるため、組み立て性がおち、品質の低下につながる。
【００６２】
また、バラけた配線４２が、導光体１５の上面にかかってしまうと、その部分が影となり、使用者が加熱領域を確認する際の、加熱コイル１３周辺の光がかけてしまい、視認性が悪くなる。そこで、上記構成とすることにより、同一方向とすることで、直線的に配線
４２を整理、収納することができ、上記課題を解決することができる。
【００６３】
このように、複数の発光体１４を発光させるための多数の配線４２を整理することができ、組み立て性の向上により品質を向上させることができる。
【００６４】
さらに、配線４２を整理することにより、配線４２が導光体１５の上などに載ってしまい、配線４２が邪魔になって視認性が悪くなることを抑制することができる。
【００６５】
また、図９のように、本実施の形態において、加熱コイル１３を冷却する冷却ファン５１を設け、冷却ファン５１の吹き出し方向と、配線４２方向を略一致させる構成となっている。なお、図の冷却ファン５１の数は特に発明を限定するものではなく、図では各列に冷却ファン５１を配置しているが１つでもよい。
【００６６】
仮に、上記のような多くの配線４２が、冷却ファン５１の吹き出し方向と直角に近い、もしくは遮る方向に配置されていると、加熱コイル１３を冷却するための冷却風が遮られてしまい、十分な冷却性能が確保できなければ品質が低下してしまう。また十分な冷却性能を確保するために冷却ファン５１の回転数を上げれば製品の騒音が大きくなってしまう。このため、効率のよい冷却を行うことは重要であり、上記構成により、効率のよい冷却を実現することで、品質を向上し、より低い騒音値の製品を提供することができる。
【００６７】
このように、複数の発光体１４を発光させるための多数の配線４２が、加熱コイル１３を冷却する冷却風を遮ることを抑制することができるため、冷却性能を確保することができ、品質を向上させることができる。
【産業上の利用可能性】
【００６８】
以上のように、本発明にかかる誘導加熱調理器は、複数の加熱コイルを用いて調理物を加熱する際に、加熱領域を知らせる複数個の導光体の各々の導光体同士のゆがみを抑制して、加熱領域をよりきれいに見せることができ、視認性が向上するので、調理器の用途に有効である。
【符号の説明】
【００６９】
１１  本体
１２  トッププレート
１３、９１  加熱コイル
１４  発光体
１５  導光体
１６  導光体保持部
１７  支持板
２１  基板
３１  遮光カバー
４１  切り欠き部
４２  配線
５１  冷却ファン
【図１】
2014116088.tif 000003
【図２】
2014116088.tif 000004
【図３】
2014116088.tif 000005
【図４】
2014116088.tif 000006
【図５】
2014116088.tif 000007
【図６】
2014116088.tif 000008
【図７】
2014116088.tif 000009
【図８】
2014116088.tif 000010
【図９】
2014116088.tif 000011
【図１０】
2014116088.tif 000012